(57)【要約】【課題】部品を追加することなく、乗員の膝に掛かる衝撃を吸収することのできる、グローブボックスを提供する。【解決手段】車室内前方のインストルメントパネルＰに配設され、後面部２と、この後面部２に連設され、前端がインストルメントパネルリインフォース５に接続された一対の側面部３１，３２とを有し、後面部２は乗員の膝Ｋと対峙する位置に配置され、側面部３１，３２は補強リブ３３を備えた、グローブボックス１を構成する。【選択図】図２
2009248737.tif 000002
【特許請求の範囲】
【請求項１】
車室内前方のインストルメントパネルに配設され、後面部とこの後面部に連設された一対の側面部とを有するグローブボックスであって、
上記後面部は乗員の膝と対峙する位置に配置され、
上記側面部は補強リブを備えたことを特徴とする、グローブボックス。
【請求項２】
前記側面部は、前端がインストルメントパネルリインフォースに接続されたことを特徴とする、請求項１に記載のグローブボックス。
【請求項３】
前記側面部の前端同士が接続部により接続され、前記後面部と前記側面部と上記接続部とにより平面視においてボックス構造が形成されることを特徴とする、請求項１または２に記載のグローブボックス。
【請求項４】
前記側面部は、前端同士の間隔が後端同士の間隔より短いことを特徴とする、請求項１から３のいずれかに記載のグローブボックス。
【発明の詳細な説明】
【技術分野】
【０００１】
本発明は、車室内前方においてインストルメントパネルの内側に配設されるグローブボックスに関する。
【背景技術】
【０００２】
従来、図４及び図５に示すように、車輌Ｃ１には、前面からの衝撃から助手席の乗員Ｍ１を保護するための手段として衝撃吸収機構が設けられている。この種の衝撃吸収機構は、前面からの入力時において、車輌Ｃ１の助手席に着座する乗員Ｍ１の前方移動抑制を行なうことで、乗員Ｍ１の傷害値の低減がなされるように構成されるものである。このうち、乗員Ｍ１の下肢の保護手段として、車室内Ｉ１前方における乗員Ｍ１の膝相当位置に対応したインストルメントパネルの内側位置に、車輌Ｃ１の前後方向に変形ストローク性能を備えたニーブラケット１０１が配設されており、前面衝突時においてニーブラケット１０１が膝を拘束しながら変形してエネルギを吸収するように構成されている。
【０００３】
従来のニーブラケット１０１は、図４乃至図６に示すように、断面コ字形をなす上部フレーム１０２と下部フレーム１０３とが、車輌Ｃ１の後方に向かって互いに拡開した略ハ字形に対向配置されている。上部フレーム１０２と下部フレーム１０３とは、それらの車輌Ｃ１の前方側の端部が車幅方向に延びた円筒形のリインフォース１０４に固着され、車輌Ｃ１の後方側の端部がインストルメントパネル（図示省略）を支持する、上下方向に延びたニーパネル１０５に固着されて、インストルメントパネルの内側に配設されている。
【０００４】
このように構成された従来のニーブラケット１０１は、上部フレーム１０２と、下部フレーム１０３と、ニーパネル１０５と、の三つの部材によって囲まれる略三角形の枠状構造を有し、前面からの入力時には、図５（Ａ）及び（Ｂ）に示すように、下部フレーム１０３の屈曲部１０３ａが折れ曲がり、前後方向の長さが縮むように変形することで、乗員Ｍ１を衝撃から保護することができる。
【０００５】
このようなニーブラケットは、上部フレーム１０２及び下部フレーム１０３が乗員Ｍ１の膝部と対向する位置に設置されることが望ましい。しかし、インストルメントパネルの内部にはワイヤハーネスや他のブラケットなどが配置されており、これらとの干渉によってニーブラケットを理想的な位置に配置できない場合がある。また、ニーブラケットによりグローブボックスなどの容量が制限されてしまう場合もある。さらに、乗員の膝と上部フレーム１０２及び下部フレーム１０３との位置がずれていると、荷重がリインフォース１０４に伝達されず、効果的に衝撃吸収できない。
【０００６】
そこで、特許文献１に記載されているように、インストルメントパネルにおける乗員の膝に対向する面に形成した開口に装着されたグローブボックスの表面を覆うように配置され、板状の衝撃吸収部材を有するリッドと、インストルメントパネルの開口周縁で且つリッドよりも車体前方側に配設され、リッドをヒンジ軸を介して支持するとともに、衝撃吸収部材の裏面外縁に荷重伝達可能に対向する枠状の補強板と、補強板よりも車体前方側に配設され、一端が車体に固定され他端が補強板におけるリッドが対向する部位の裏面に荷重伝達可能に対向する荷重支持部材と、を備えたニーボルスターが知られている。
【特許文献１】実開平３−２５３５３号公報
【発明の開示】
【発明が解決しようとする課題】
【０００７】
しかしながら、特許文献１に記載のニーボルスターでは、グローブボックスに補強板や荷重支持部材といった金属部材を別途付加することで、これらの付加された部材の剛性により衝撃を吸収するものであって、部品の追加を必要とするものであるから、部材点数の増加や重量の増加を伴うと共に、グローブボックスの容量が制限されてしまうという問題があった。
【０００８】
本発明は、上記問題点に鑑みてなされたものであり、部品の追加をすることなく、乗員の膝に掛かる衝撃を吸収することのできる、グローブボックスを提供することを目的とする。
【課題を解決するための手段】
【０００９】
上記目的を達成するため、本発明のグローブボックスは、車室内前方のインストルメントパネルに配設され、後面部と、この後面部に連設された一対の側面部とを有し、後面部は乗員の膝と対峙する位置に配置され、側面部は補強リブを備えたことを特徴とする。
【００１０】
側面部は、前端がインストルメントパネルリインフォースに接続されていることが望ましい。
【００１１】
また、側面部の前端同士は接続部により接続され、後面部と側面部と接続部とにより平面視においてボックス構造が形成されることが望ましい。
【００１２】
側面部は、前端同士の間隔が後端同士の間隔より短いことが望ましい。
【発明の効果】
【００１３】
本発明のグローブボックスによれば、側面部が補強リブを備えたことにより、別途の補強部品を追加することなく、グローブボックス自体の強度を高めることができ、グローブボックスにより乗員の膝に掛かる衝撃を吸収することができる。
【００１４】
側面部の前端がインストルメントパネルリインフォースに接続された場合には、側面部を介して伝達された荷重がインストルメントパネルリインフォースに入力され、効果的に衝撃を吸収することができる。
【００１５】
側面部の前端同士が接続部により接続され、後面部と側面部と接続部とにより平面視においてボックス構造が形成される場合には、乗員の膝に掛かる衝撃に対するグローブボックスの強度を効率よく高めることができる。
【００１６】
側面部の前端同士の間隔が後端同士の間隔より短い場合には、後面部が乗員の膝からの荷重により歪んだ場合にも効果的に衝撃を吸収することができる。
【発明を実施するための最良の形態】
【００１７】
以下、本発明の好ましい実施の形態を添付図面を参照しながら詳細に説明する。図１〜３は本発明の実施形態に係るグローブボックス１を示す。図１及び図２に示すように、グローブボックス１は、車室内前方のインストルメントパネルＰに配設され、乗員の膝Ｋと対峙する位置に配置された後面部２と、この後面部２に連設された一対の側面部３１，３２と、側面部３１，３２の前端同士を互いに接続する接続部４とを備え、これら後面部２と側面部３１，３２と接続部４とにより平面視においてボックス構造が形成される。
【００１８】
図２及び図３に示すように、後面部２は内板２１と外板２２とからなる二重構造をなし、内板２１と外板２２との間に、内板２１及び外板２２に対し垂直に立設された複数の補強リブ２３を備えることにより、いわゆるハニカム構造を形成している。また、側面部３１，３２は板面に対し垂直に立設された複数の補強リブ３３を備えている。
【００１９】
側面部３１，３２の前端はそれぞれインストルメントパネルリインフォース５に接続されている。また、側面部３１，３２は、前端同士の間隔が後端同士の間隔より短い。すなわち、グローブボックス１は、図１に示すように平面視において、後面部２を長辺、接続部４を短辺、側面部３１，３２を脚辺とする台形状のボックス構造を構成している。
【００２０】
車両衝突時等に、このようなグローブボックス１に対し乗員の膝Ｋが、図１及び図３に破線で示すように衝突すると、膝Ｋから加えられた力は、図１に矢印で示すように後面部２に入力され、側面部３１，３２を伝わってインストルメントパネルリインフォース５に伝達される。
【００２１】
この際、後面部２が二重構造をなし、さらに後面部２及び側面部３１，３２が補強リブ２３，３３を備えるため、グローブボックス１が簡単に潰れてしまうようなことはない。また、後面部２が十分な面積を持つことから、図１に示すように乗員の膝Ｋが正常な位置にある場合のみならず、Ｋ２で示すようにシートの中心からずれた位置にあるような場合であっても同様に、乗員の膝を拘束することができる。
【００２２】
また、グローブボックス１が平面視において台形状のボックス構造を構成することから、後面部２に加えられた入力をインストルメントパネルリインフォース５に効率よく伝達することができる。具体的には、図１に示すように乗員の膝Ｋがグローブボックス１に衝突すると、乗員の膝Ｋの入力により後面部２の中心が車両前方へ湾曲するように歪むが、これにより側面部３１，３２の後端同士の間隔が狭まり、前端同士の間隔に近くなる。すると、側面部３１，３２がインストルメントパネルリインフォース５に対し垂直に近くなる。こうして、側面部３１，３２の板面方向が入力方向、すなわち車両前方と平行になる。そのため、衝突時の入力に対するインストルメントパネルリインフォース５からの反力を強く返すことができ、効率よく衝撃を吸収することができる。
【００２３】
以上説明したように、本発明のグローブボックスは、車室内前方のインストルメントパネルに配設され、後面部と、この後面部に連設された一対の側面部とを有し、後面部は乗員の膝と対峙する位置に配置され、側面部に補強リブを備えたものであり、その主旨を逸脱しない範囲内において様々な形態で実施することができる。例えば、側面部３１，３２の板面同士がなす角度は適宜設定できるが、想定される最も強い衝撃時にインストルメントパネルリインフォース５に対し垂直になるように設定されることが望ましい。また、補強リブ３３は様々な方向のものが交差して設けられてもよいが、少なくとも車両前後方向に沿って設けられることが望ましい。
【図面の簡単な説明】
【００２４】
【図１】実施形態のグローブボックスを示す平面図である。
【図２】図１の状態を示す斜視図である。
【図３】図１の状態を示すＡ−Ａ断面図である。
【図４】（Ａ）は従来のニーブラケットの配設部位を示す車輌前部付近の簡略図、（Ｂ）は（Ａ）のニーブラケット周辺の拡大図である。
【図５】（Ａ）は、従来のニーブラケットを備えた車輌の前面衝突時の状態を示す車輌前部付近の簡略図、（Ｂ）は従来のニーブラケットの変形状態を示す図である。
【符号の説明】
【００２５】
１      グローブボックス
２      後面部
４      接続部
５      インストルメントパネルリインフォース
２１    内板
２２    外板
２３    補強リブ
３１    側面部
３３    補強リブ
１０１  ニーブラケット
１０２  上部フレーム
１０３  下部フレーム
１０３ａ  屈曲部
１０４  リインフォース
１０５  ニーパネル
Ｃ１    車輌
Ｉ１    車室内
Ｍ１    乗員
Ｋ      膝
Ｐ      インストルメントパネル
【図１】
2009248737.tif 000003
【図２】
2009248737.tif 000004
【図３】
2009248737.tif 000005
【図４】
2009248737.tif 000006
【図５】
2009248737.tif 000007